(57)【要約】【課題】吸入マフラーの騒音低減構造を改善して騒音及び振動を効果的に減少させる密閉型圧縮機を提供する。【解決手段】密閉型圧縮機の吸入マフラー（５０）は、内部に共鳴室（５２）が形成されるケース（５１）と、前記ケース（５１）の一側に設けられ、冷媒を吸入するための吸入口（５４）を有する吸入部（５３）と、前記共鳴室（５２）の内部から延長され、前記圧縮部に連通する冷媒案内管（５６）とを含み、前記吸入口（５４）は前記吸入管から離隔して設けられ、前記冷媒案内管（５６）は冷媒が流入する入口側端部に直径の拡張した拡管部（５７）を有する。【選択図】図２
2005180413.tif 000002
【特許請求の範囲】
【請求項１】
密閉容器の内部に設けられ、冷媒を圧縮する圧縮部と、外部から前記密閉容器の内部に冷媒を案内する吸入管と、前記吸入管を介して冷媒を吸入してから前記圧縮部に吐き出す吸入マフラーとを含む密閉型圧縮機において、
前記吸入マフラーは、内部に共鳴室が形成されるケースと、前記ケースの一側に設けられ、冷媒を吸入するための吸入口を有する吸入部と、前記共鳴室の内部から延長され、前記圧縮部に連通する冷媒案内管とを含み、
前記吸入口は前記吸入管から離隔して設けられ、前記冷媒案内管は冷媒が流入する入口側端部に直径の拡張した拡管部を有することを特徴とする密閉型圧縮機。
【請求項２】
前記拡管部は冷媒の流入方向に次第に幅が減少するように形成されることを特徴とする請求項１に記載の密閉型圧縮機。
【請求項３】
前記吸入部は冷媒の流入方向に幅が減少するラッパ管状に形成されることを特徴とする請求項１に記載の密閉型圧縮機。
【発明の詳細な説明】
【技術分野】
【０００１】
本発明は密閉型圧縮機に係り、より詳しくは吸入管を介して吸入された低圧の冷媒ガスをシリンダブロックの圧縮室の内部に流入させる吸入マフラーに関するものである。
【背景技術】
【０００２】
一般に、密閉型圧縮機は、冷蔵庫などの冷凍装置において冷媒を圧縮するために広く使用されている。このような従来の密閉型圧縮機は、密閉空間を形成する密閉容器の内部に、冷媒を圧縮する圧縮部とこの圧縮部を駆動させる駆動部とを収容する。
【０００３】
前記圧縮部は、冷媒を圧縮するための圧縮室が形成されたシリンダブロックと、シリンダブロックの一側に結合され、前記圧縮室に対する吸入と吐出を案内する吸入室と吐出室がそれぞれ設けられたシリンダヘッドと、前記圧縮室の内部に設けられるピストンとを含む。
【０００４】
前記駆動部は、電源の印加により磁場を形成する固定子と、前記固定子と相互作用して回転する回転軸を回転させる回転子とからなるもので、前記回転子の回転運動によりピストンが圧縮室の内部で進退しながら冷媒を圧縮する。
【０００５】
一方、密閉容器の一側には外部から冷媒を流入する吸入管が設けられ、この吸入管には吸入マフラーが連通する。
【０００６】
このような吸入マフラーは、冷媒をシリンダヘッドの吸入室側に案内する機能とともに圧縮部での冷媒圧縮時に発生する騒音を減殺させる機能を同時に果たす。
【発明の開示】
【発明が解決しようとする課題】
【０００７】
ところで、従来の密閉型圧縮機の吸入マフラーは、内部に形成された共鳴室により騒音を共鳴させて減殺させる方式であるから、全ての騒音が共鳴室で吸収されなく一部の騒音は吸入管を介して圧縮機の外部へ流出される。これにより、吸入管内で冷媒の流入方向と騒音の放射方向が相反するので、冷媒の流動周波数と騒音周波数が共振を引き起こすことにより、圧縮機の全体騒音及び振動が増加する問題点がある。
【０００８】
したがって、本発明は、このような問題点を解決するためになされたもので、その目的は、吸入マフラーの騒音低減構造を改善して騒音及び振動を効果的に減少させることができる密閉型圧縮機を提供することにある。
【課題を解決するための手段】
【０００９】
前記のような目的を達成するため、本発明は、密閉容器の内部に設けられ、冷媒を圧縮する圧縮部と、外部から前記密閉容器の内部に冷媒を案内する吸入管と、前記吸入管を介して冷媒を吸入してから前記圧縮部に吐き出す吸入マフラーとを含む密閉型圧縮機において、前記吸入マフラーは、内部に共鳴室が形成されるケースと、前記ケースの一側に設けられ、冷媒を吸入するための吸入口を有する吸入部と、前記共鳴室の内部から延長され、前記圧縮部に連通する冷媒案内管とを含み、前記吸入口は前記吸入管から離隔して設けられ、前記冷媒案内管は冷媒が流入する入口側端部に直径の拡張した拡管部を有するようになった密閉型圧縮機を提供する。前記拡管部は冷媒の流入方向に次第に幅が減少するように形成される。前記吸入部は冷媒の流入方向に幅が減少するラッパ管状に形成される。
【発明の効果】
【００１０】
以上のような本発明によると、圧縮部から発生する騒音を吸入マフラーの拡管部とラッパ管状の吸入部により効果的に低減することができるので、安定的な運転が行える効果がある。  
また、吸入口と吸入管の離隔構造により、吸入口を通過した騒音が吸入管内で共振することを防止して圧縮機の信頼性を向上させる効果がある。
【発明を実施するための最良の形態】
【００１１】
以下、本発明の好ましい実施の形態を添付図面に基づいて詳細に説明する。
【００１２】
図１は本発明による密閉型圧縮機の全体構造を示す断面図である。同図に示すように、本発明による密閉型圧縮機は、密閉容器１０の内部に、冷媒を圧縮するための圧縮部２０と、この圧縮部２０を駆動させるための動力を発生する駆動部３０とが設けられている。
【００１３】
前記圧縮部２０は内部に圧縮室２１ａが形成されたシリンダブロック２１を有する。圧縮室２１ａの内部には、往復運動して冷媒の吸入、圧縮及び吐出を行うピストン２２が設けられ、シリンダブロック２１の一側には、内部に吸入室２３ａと吐出室２３ｂが形成されたシリンダヘッド２３が対向して配置される。そして、シリンダブロック２１とシリンダヘッド２３との間には、圧縮室２１ａを経由する冷媒の吸入及び吐出を断続するための吸入バルブ２４ａと吐出バルブ２４ｂが設けられたバルブプレート２４が介在される。
【００１４】
前記駆動部３０は圧縮部２０で冷媒を圧縮するためピストン２２が往復運動するもので、密閉容器１０の内部に固定された固定子３１と、この固定子３１の内部に離隔して設けられ、固定子３１と電磁気的に相互作用する回転子３２とを含む。そして、回転子３２の中心には回転子３２とともに回転する回転軸３３が設けられ、回転軸３３の下部には、偏心状態で回転する偏心部３４と、この偏心部３４の偏心回転を直線運動に転換するため、一端は偏心部３４に回転可能に結合され、他端はピストン２２に回転及び直線運動可能に結合されるコネクティングロッド３５とが設けられている。
【００１５】
前記シリンダヘッド２３の一側には、冷媒が圧縮される過程で圧縮室２１ａから発生する騒音を低減させるための吸入マフラー５０が取り付けられる。以下、図２に基づいて本発明による密閉型圧縮機に設けられる吸入マフラー５０を詳細に説明する。
【００１６】
図２に示すように、本発明による吸入マフラー５０は、共鳴室５２を形成するケース５１と、ケース５１の下部一側に冷媒を吸入する吸入口５４を有する吸入部５３と、ケース５１の底面にシリンダヘッド２３側に開口した吐出口５５を含んでなる。
【００１７】
前記吸入部５３は吸入口５４から冷媒の流入方向に次第に幅が減少するラッパ管状に形成され、吸入口５４は、外部から冷媒が密閉容器１０の内部に流入されるように、密閉容器１０を貫通する吸入管４０の先端から所定距離だけ離隔するように設けられる。
【００１８】
前記吸入管４０を通過した冷媒流中の気相の冷媒（細い実線で表示）は吸入部５３を通過して共鳴室５２の内部に流入するが、液相の冷媒（太い実線で表示）はその自重によりかつ吸入部５３の内壁傾斜面にぶつかることにより、密閉容器１０の底面に落ちるので、液相冷媒が吸入口５３を介してシリンダに流入することが防止される。また、このような吸入部５３の構造により、圧縮機の内部で発生する騒音を効果的に減殺させることができるが、これについては後に詳細に説明する。
【００１９】
また、本発明による吸入マフラー５０は共鳴室５２の内部に吸入された冷媒をシリンダヘッド２３側に案内するための冷媒案内管５６をさらに含む。前記冷媒案内管５６は共鳴室５２の内部から吐出口５５側に延長され、その延長端部はシリンダヘッド２３に結合される。
【００２０】
このような冷媒案内管５６は、図３に示すように、冷媒が流入する入口側端部に直径が拡張した拡管部５７が設けられ、この拡管部５７は冷媒の流入方向に次第に直径が減少するように形成される。
【００２１】
つぎに、このように構成される本発明による密閉型圧縮機の動作及び作用を説明する。
【００２２】
駆動部３０に電源が印加されると、回転子３２とともに回転軸３３が回転し、回転軸３３の回転により偏心部３４が偏心状態で回転する。偏心部３４によりピストン２２が圧縮室２１ａの内部で往復運動すると、ピストン２２の運動により吸入マフラー５０及びシリンダヘッド２３の吸入室２３ａを順次通過した冷媒が圧縮室２１ａに流入して圧縮された後、シリンダヘッド２３の吐出室２３ｂに吐き出される。
【００２３】
この際、圧縮室２１ａでの冷媒圧縮時に発生する騒音は、図２に点線で示すように、シリンダヘッド２３の吸入室２３ａから吸入マフラー５０側に流動するが、この騒音は吸入マフラー５０の冷媒案内管５６を介して共鳴室５２の内部に流入する。
【００２４】
そして、前記騒音は冷媒案内管５６に設けられた拡管部５７を介して共鳴室５２に拡散しながら一次に低減され、残りの騒音はラッパ管状の吸入部５３を介して圧縮機の内部空間に拡散しながら二次に低減される。すなわち、本発明による吸入マフラー５０は騒音が二重に拡散する構造により騒音を効果的に減殺させる。
【００２５】
また、吸入口５４が吸入管４０から離隔しているため、吸入口５４を通過した騒音が吸入管４０の内部に流入せずに圧縮機の内部に放射されるので、吸入管４０での冷媒の流動周波数と騒音周波数間の共振により発生する圧縮機の騒音及び振動を防止する。
【図面の簡単な説明】
【００２６】
【図１】本発明による密閉型圧縮機の全体構造を示す断面図である。
【図２】本発明による密閉型圧縮機の吸入マフラーを示す断面図である。
【図３】本発明による吸入マフラーに設けられる冷媒案内管を示す斜視図である。
【符号の説明】
【００２７】
１０  密閉容器
２０  圧縮部
２１ａ  圧縮室
２２  ピストン
２３  シリンダヘッド
２３ａ  吸入室
２３ｂ  吐出室
２４  バルブプレート
２４ａ  吸入バルブ
２４ｂ  吐出バルブ
３０  駆動部
３１  固定子
３２  回転子
３３  回転軸
３４  偏心部
３５  コネクティングロッド
４０  吸入管
５０  吸入マフラー
５１  ケース
５２  共鳴室
５３  吸入部
５４  吸入口
５５  吐出口
５６  冷媒案内管
５７  拡管部
【図１】
2005180413.tif 000003
【図２】
2005180413.tif 000004
【図３】
2005180413.tif 000005